(57)【要約】【課題】  個別に形状や大きさの異なる瓦に適応し好適な固定状態を確保することが出来る瓦固定金具並びに瓦固定構造及び瓦固定方法の提供。【解決手段】  下縁部に切込０を穿設した瓦１を、前記定着部２が屋根に固定された前記請求項１又は請求項２のいずれかに記載の瓦固定金具で固定する瓦固定構造であって、前記瓦固定金具のズレ止部３が、葺かれた瓦１の前記切込０に嵌め入れられ、且つ当該瓦固定金具の離脱防止部４が当該瓦１の表面に引っ掛けられた瓦固定構造。【選択図】      図３
0003112575.tif 000002
【実用新案登録請求の範囲】
【請求項１】
下縁部に切込（０）を穿設した瓦（１）に装着されて当該瓦（１）を屋根に固定する瓦固定金具であって、
屋根に定着する平板状の定着部（２）と、当該定着部（２）の下端から屈曲し当該定着部（２）の表面に対して略直角に瓦（１）の厚み分起立したズレ止部（３）と、当該ズレ止部（３）の上端に存在し瓦（１）の表面に引っ掛かる離脱防止部（４）とを備える瓦固定金具。
【請求項２】
細長の平板（５）を折り曲げ成形して成り、
前記定着部（２）とズレ止部（３）との境界部は、相互の長手方向が直交する様に略扁平に折り重ねられ、且つ当該ズレ止部（３）は、前記定着部（２）の表面に対して略直角に前記折り重なった部分との境界に沿って折り曲げられて成り、
前記離脱防止部（４）は、前記折り重なった領域と前記ズレ止部（３）との境界から瓦（１）の厚み分隔てた箇所において略直角に折り返されて成る前記請求項１に記載の瓦固定金具。
【請求項３】
下縁部に切込（０）を穿設した瓦（１）を、前記定着部（２）が屋根に固定された前記請求項１又は請求項２のいずれかに記載の瓦固定金具で固定する瓦固定構造であって、
前記瓦固定金具のズレ止部（３）が、葺かれた瓦（１）の前記切込（０）に嵌め入れられ、且つ当該瓦固定金具の離脱防止部（４）が当該瓦（１）の表面に引っ掛けられた瓦固定構造。
【考案の詳細な説明】
【技術分野】
【０００１】
本考案は、屋根瓦の固定技術に関するものであって、特に、瓦の固定技術に関するものである。
【背景技術】
【０００２】
屋根瓦の固定技術としては、瓦の固定金具を使用した下記特許文献を一として種々の技術が紹介されているものの、それらは、屋根に一様に葺かれた瓦の定着位置の安定化並びに定着強度の向上を図る一般的な補強技術がほとんどである。
しかしながら、屋根の谷部に葺かれるにあたって当該谷縁に沿って下部が切断される瓦は、上下の瓦が相互に支え合う作用が得られないことから下方向或いは水平方向への滑りやズレが生じ易く、強風、積雪、或いは地震等により最も顕著な被害を被る実情にある。
また、屋根の谷部へ汎用的に適応できる瓦は存在せず、普通の瓦の下部を屋根の構造に合わせて切断する作業が余儀なくされることから、その取付金具の適正な形状やサイズも個々の瓦に応じて必然的に異なることとなるので、当該谷部に葺く瓦用の固定金具の開発も滞っていた。
【０００３】
【特許文献１】特開２００１−３４９００８号公報
【考案の開示】
【考案が解決しようとする課題】
【０００４】
本考案は、上記実情に鑑みて成されたものであって、個別に形状や大きさの異なる瓦に適応し好適な固定状態を確保することが出来る瓦固定金具並びに瓦固定構造及び瓦固定方法の提供を目的とする。
【課題を解決するための手段】
【０００５】
上記課題を解決する為に成された本考案による瓦固定金具は、下縁部に切込を穿設した瓦に装着されて当該瓦を屋根（野地板や瓦桟等）に固定する瓦固定金具であって、屋根に定着する平板状の定着部と、当該定着部の下端から屈曲し当該定着部の表面に対して略直角に瓦の厚み分起立したズレ止部と、当該ズレ止部の上端に存在し瓦の表面に引っ掛かる離脱防止部とを備える瓦固定金具。
【０００６】
当該瓦固定金具は、細長の平板を折り曲げ成形して成るものでも良く、具体的には、前記定着部とズレ止部との境界部は、相互の長手方向が直交する様に略扁平に折り重ねられ、且つ当該ズレ止部は、前記定着部の表面に対して略直角に前記折り重なった部分との境界に沿って折り曲げられて成り、前記離脱防止部は、前記折り重なった領域と前記ズレ止部との境界から瓦の厚み分隔てた箇所において略直角に折り返されて成る構造を有した瓦固定金具でも良い。
【０００７】
上記瓦固定金具に拠れば、下縁部に切込を穿設した瓦を、前記定着部が屋根に固定された上記いずれかに記載の瓦固定金具で固定する瓦固定構造であって、前記瓦固定金具のズレ止部が、葺かれた瓦の前記切込に嵌め入れられ、且つ当該瓦固定金具の離脱防止部が当該瓦の表面に引っ掛けられた瓦固定構造を得る事ができる。
【０００８】
また、上記瓦固定金具を用い、下縁部に切込を穿設した瓦を、上記いずれかに記載の瓦固定金具で固定する瓦固定方法として、前記瓦の前記切込に前記瓦固定金具のズレ止部を嵌め入れると共に、当該瓦固定金具の離脱防止部を当該瓦の表面に引っ掛け、当該瓦を敷設箇所に載置し、前記瓦固定金具の定着部を屋根（野地板又は瓦桟）に定着する瓦固定方法や、傾斜方向に沿って屋根に定着した平板の下端部を、前記定着部との境界を挟む双方の位相がそれらの表面に沿って略９０度ずれた状態となる様に扁平に折り重ね、且つ当該折り目から延びた部分の長手方向が前記定着部の表面に対して略直角の方向を向く関係となる様に立体的に折り返して屋根面から起立する当該ズレ止部を形成し、当該ズレ止部を当該瓦の切込に嵌め入れ、前記定着部とズレ止部との境界から略瓦の厚み分隔てた箇所において、前記ズレ止部の表面に対して略直角の方向を向く様に立体的に折り返し、当該瓦の表面に引っ掛かる前記離脱防止部を形成する瓦固定方法を採ることができる。
【考案の効果】
【０００９】
上記瓦固定金具は、たとえ、敷設作業者の手で折り曲げ得る硬度の金属平板で成形されていたとしても、その定着部がその野地板に面して屋根の傾斜方向に沿って固定されることにより、当該平板のズレ止部を構成する領域が、その幅方向を定着部の長手方向に向けた形で定着部から略直角に起立するので、前記定着部とズレ止部との境界部に存在する折り重なった領域が装着された瓦の自重で圧せられることも相俟って、当該瓦の傾斜方向へのズレを十分に抑止し得る支持強度が確保される。
【００１０】
また、前記瓦に形成した切込に前記ズレ止部が挟まっており、且つ前記離脱防止部が前記折り重なった領域との境界から瓦の厚み分隔てた箇所において略直角に折り返されて成る構造を有しているので、瓦が当該瓦固定金具に装着されて屋根に定着された際には、瓦の左右のズレによって前記ズレ止部が瓦の表裏方向に離脱するのを抑止する離脱防止部の作用が、延いては、瓦の左右のズレを抑止する作用を奏することとなる。
【００１１】
しかも、前記一辺の細長い金属平板から成る本考案による瓦固定金具は、前記金属平板を前記所定の態様で三回曲げることによって容易に形成されると共に、下部が切断された瓦の長さに応じて定着部を適宜裁断し、敷設する個々の瓦に適した長さに定着部を設定することができるので、個別に形状や大きさの異なる瓦に適応し好適な固定状態を確保することが出来る瓦固定金具、並びに瓦固定構造及び瓦固定方法の提供に寄与する。
【考案を実施するための最良の形態】
【００１２】
以下、本考案による瓦固定金具を、それを用いた瓦固定構造及び瓦固定方法と共に説明する。
本実施の形態における瓦葺き工法は、屋根に野地板を張り、防水シートを敷設後に横桟を打ち付け、その上に、傾斜方向の最下位の列から上位に向かって前後左右の瓦の一部が相重なる様に葺いていくものである。当該工法では、屈曲した屋根の谷部（図２参照）に瓦を葺く際の瓦固定手法の一例である。
【００１３】
本考案による瓦固定構造に用いる瓦固定金具は、野地板又は瓦桟に定着する平板状の定着部２と、当該定着部２の下端から屈曲し当該定着部２の表面に対して略直角に瓦１の厚み分（例えば、約１０ｍｍ〜２０ｍｍ程度）起立したズレ止部３と、当該ズレ止部３の上端から略直角に屈曲し（又は幅広となり）瓦の表面にかかる離脱防止部４とが、各々屈曲部を介して連続的に設けられたものである。
【００１４】
当該瓦固定金具の例は、一様な幅を持つ細長の金属（メッキが施された鉄やステンレス等）製平板（図１（Ａ）参照）を折り曲げ成形して成り、前記定着部２として、当該平板５の長手方向へ、当該瓦固定金具を装着した際に瓦の上から定着代が覗く程度の長さ（例えば、約３５０ｍｍ〜４５０ｍｍ程度）が、平坦な状態（場合によれば、補強リブとして機能させるべく幅方向へ一様に湾曲させた状態）で確保されている。
【００１５】
当該平坦な定着部２に続いてズレ止部３が立設されているが、前記定着部２とズレ止部３との境界部には、三角形状の重合部６が形成され、且つ当該重合部６を挟む双方の長手方向がそれらの表面に沿って略９０度ずれた状態となる様に扁平に折り重ねられ（図１（Ｂ）又は（Ｃ）参照）、更に、前記ズレ止部３の長手方向が前記定着部２の表面に対して略直角の方向を向く関係となる様に、当該ズレ止部３が前記重合部６との境界に沿って立体的に折り返されている（図１（Ｄ）又は（Ｅ）参照）。また、前記ズレ止部３と離脱防止部４との境界は、前記重合部６との境界から略瓦１の厚み分隔てた箇所に位置し、当該箇所において、前記離脱防止部４の長手方向が前記ズレ止部３の表面に対して略直角の方向を向く関係となる様に、当該離脱防止部４が、前記重合部６との境界に沿って立体的に約１０ｍｍ前後折り返されている（図１（Ｆ）若しくは（Ｇ）、又は（Ｈ）若しくは（Ｉ）参照）。
【００１６】
当該例による瓦固定方法は、図３の如く、屋根の谷部に葺く瓦１の下方を、当該屋根の谷部に沿って切断し、当該瓦１の下方縁部の一部（切り口の一部であっても良いし、当該瓦１本来の下方縁部の一部であっても良い。）、好ましくは当該瓦１のバランスの支点となり得る箇所に屋根の傾斜方向（瓦の長手方向）に伸びる切込０を設ける。当該切込０に、前記瓦固定金具のズレ止部３を、当該瓦固定金具の離脱防止部４が瓦１の表面に引っ掛かる様に嵌め入れる。尚、この作業は、当該切込０に、前記瓦固定金具のズレ止部３を嵌め入れた後に、その先端部を折り曲げて離脱防止部４を形成し、それを瓦１の切込０から表面に引っ掛けるものとしても良い。
【００１７】
この様に瓦固定金具が装着された瓦１を、屋根の谷部たる敷設箇所に載置すると共に、当該瓦固定金具の定着部２の前記瓦１の上方から露出した部分を釘やビス等で野地板又は瓦桟に打ち付けることによって、屋根の谷部に沿って切断され形態の一部が欠損することで敷設状態における定着能力が損なわれた異形形状の瓦１を、バランスの良い安定した状態で固定することが出来る。
【００１８】
尚、上記瓦固定金具を用いて谷部に葺く瓦を固定する方法としては、先ず、同瓦固定金具の定着部２を釘やビス等で野地板又は瓦桟に定着し、屋根に定着した瓦固定金具に屋根の谷部に沿って切断された瓦１を装着し、或いは屋根に定着した瓦固定金具となる平板５を折り曲げ成形しつつ当該瓦固定金具に締結する手法を採っても良い。
【００１９】
即ち、屋根へ、その傾斜方向に沿って定着した平板５の下端部（図１(Ａ)参照）を、前記定着部２とズレ止部３との境界の折り目を挟む双方の長手方向がそれらの表面に沿って略９０度ずれた方向を向く様に扁平に折り重ね（図１（Ｂ）又は（Ｃ）参照）、且つ前記ズレ止部３の長手方向が前記定着部２の表面に対して略直角の方向を向く関係となる様に立体的に折り返した状態（図１（Ｄ）又は（Ｅ）参照）で、定着した屋根面に対して起立する当該ズレ止部３を、前記瓦１の切込０に嵌め入れる。更に、前記定着部２とズレ止部３との境界の折り目（前記ズレ止部３と重合部６との境界）から略瓦の厚み分隔てた箇所を、前記ズレ止部３の表面に対して略直角の方向を向く様に立体的に折り返し（図１（Ｆ）又は（Ｇ）参照）、当該瓦１の表面に引っ掛かる前記離脱防止部４を形成する（図１（Ｈ）又は（Ｉ）参照）。
【００２０】
これら瓦固定金具並びに当該瓦固定金具を用いた瓦固定方法を以って、前記瓦固定金具のズレ止部３が、葺かれた瓦１の前記切込０に、上下方向への離脱を防止した状態で嵌め入れられ、屋根の谷部と、当該谷部に葺かれた瓦１とが、瓦固定金具によって好適に連結された瓦固定構造を構築する。
【産業上の利用可能性】
【００２１】
本考案による瓦固定金具、瓦固定方法、並びに瓦固定構造を用いれば、異形形状に加工した瓦を用いる必要性が生じた場合であっても、加工により原形の一部が欠損し減退した屋根への定着性を前記瓦固定金具が補い、前後左右に敷設された瓦の固定状態とも相俟って、強風や屋根への積雪によるズレや脱落を良好に防止することができ、建造物の保守管理の軽減並びに居住者の安全維持の面で顕著な効果を奏する。
【図面の簡単な説明】
【００２２】
【図１】本考案による瓦固定金具、及びその成形工程の一例を示す斜視図である。
【図２】本考案による瓦固定金具、及び瓦固定構造の実施態様例を示す斜視図である。
【図３】図２の要部拡大図である。
【符号の説明】
【００２３】
０  切込，１  瓦，２  定着部，３  ズレ止部，４  離脱防止部，５  平板，
６  重合部，
【図１】
0003112575.tif 000003
【図２】
0003112575.tif 000004
【図３】
0003112575.tif 000005